(57)【要約】【課題】他人に暗証番号入力場面を見られたとしても暗証番号漏洩の可能性を少なくし、セキュリティーの高い認証を行う。【解決手段】暗証番号と暗証番号の各桁に対応する折畳時露出キー１１とを予め記憶部１６に登録しておき、筐体の閉状態において暗証番号の各桁対応に折畳時露出キー１１が押下される度に、押下された折畳時露出キー１１が該当桁対応に記憶部１６に登録された折畳時露出キー１１と一致するかを照合し、一致した場合に折畳時露出キー１１の押下回数を検出し記憶部１６に登録された暗証番号の該当桁の数字と一致するかを照合し、折畳時露出キー１１から入力された暗証番号の全桁の数字が認証された場合に所定時間のカウントを開始し、所定時間内に筐体が開状態になった場合にロックを解除する。【選択図】      図１
2008283510.tif 000002
【特許請求の範囲】
【請求項１】
暗証番号と暗証番号の各桁に対応するキーとが予め登録された記憶部と、暗証番号の各桁対応にキーが押下される度に、押下されたキーが該当桁対応に前記記憶部に登録されたキーと一致するかを照合する手段と、一致した場合にキーの押下回数を検出し前記記憶部に登録された暗証番号の該当桁の数字と一致するかを照合する手段と、入力された暗証番号の全桁の数字が認証された場合にロックを解除する手段とを有することを特徴とする携帯端末。
【請求項２】
筐体の開閉状態を検出する開閉検出部と、筐体の閉状態において押下可能な折畳時露出キーと、暗証番号と暗証番号の各桁に対応する折畳時露出キーとが予め登録された記憶部と、閉状態において暗証番号の各桁対応に折畳時露出キーが押下される度に、押下された折畳時露出キーが該当桁対応に前記記憶部に登録された折畳時露出キーと一致するかを照合する手段と、一致した場合に折畳時露出キーの押下回数を検出し前記記憶部に登録された暗証番号の該当桁の数字と一致するかを照合する手段と、折畳時露出キーから入力された暗証番号の全桁の数字が認証された場合にロックを解除する手段とを有することを特徴とする携帯端末。
【請求項３】
暗証番号の全桁の数字が認証された場合、認証後設定時間内に筐体が開状態になった場合にロックを解除することを特徴とする請求項２記載の携帯端末。
【請求項４】
前記折畳時露出キーにより入力された暗証番号の認証後設定時間内に筐体が開状態になった場合を除き、筐体が開状態になった場合は、入力しても認証処理を行わないダミーの暗証番号入力画面を表示する手段を、さらに有することを特徴とする請求項２または３記載の携帯端末。
【請求項５】
バイブレータと、暗証番号の各桁の照合が終了する度に前記バイブレータを第１の時間振動させる手段と、暗証番号の全桁の照合が終了した場合に前記バイブレータを第２の時間振動させる手段とを、さらに有することを特徴とする請求項１，２，３または４記載の携帯端末。
【請求項６】
筐体の開閉状態を検出する開閉検出部と、ロック解除のための筐体の開閉状態変化情報が予め登録された記憶部と、ロック解除操作時に前記開閉検出部により検出された開閉状態の変化が前記記憶部に登録された開閉状態変化情報と一致するかを照合する手段と、一致した場合にロックを解除する手段とを有することを特徴とする携帯端末。
【請求項７】
暗証番号と暗証番号の各桁に対応するキーとを予め記憶部に登録するステップと、暗証番号の各桁対応にキーが押下される度に、押下されたキーが該当桁対応に前記記憶部に登録されたキーと一致するかを照合するステップと、一致した場合にキーの押下回数を検出し前記記憶部に登録された暗証番号の該当桁の数字と一致するかを照合するステップと、入力された暗証番号の全桁の数字が認証された場合にロックを解除するステップとを有することを特徴とする携帯端末における暗証番号入力方法。
【請求項８】
暗証番号と暗証番号の各桁に対応する折畳時露出キーとを予め記憶部に登録するステップと、筐体の閉状態において暗証番号の各桁対応に折畳時露出キーが押下される度に、押下された折畳時露出キーが該当桁対応に前記記憶部に登録された折畳時露出キーと一致するかを照合するステップと、一致した場合に折畳時露出キーの押下回数を検出し前記記憶部に登録された暗証番号の該当桁の数字と一致するかを照合するステップと、暗証番号の各桁の照合が終了する度にバイブレータを第１の時間振動させるステップと、折畳時露出キーから入力された暗証番号の全桁の数字が認証された場合に前記バイブレータを第２の時間振動させるとともに所定時間のカウントを開始するステップと、所定時間内に筐体が開状態になった場合にロックを解除するステップとを有することを特徴とする携帯端末における暗証番号入力方法。
【請求項９】
ロック解除のための筐体の開閉状態変化情報を予め記憶部に登録するステップと、ロック解除操作時に筐体の開閉状態の変化を検出するステップと、検出された開閉状態の変化が前記記憶部に登録された開閉状態変化情報と一致するかを照合するステップと、一致した場合にロックを解除するステップとを有することを特徴とする携帯端末における暗証番号入力方法。
【請求項１０】
暗証番号と暗証番号の各桁に対応するキーとを予め記憶部に登録する機能、暗証番号の各桁対応にキーが押下される度に、押下されたキーが該当桁対応に前記記憶部に登録されたキーと一致するかを照合する機能、一致した場合にキーの押下回数を検出し前記記憶部に登録された暗証番号の該当桁の数字と一致するかを照合する機能、入力された暗証番号の全桁の数字が認証された場合にロックを解除する機能、をコンピュータに実現させるためのプログラム。
【請求項１１】
筐体の開閉状態を検出する機能、暗証番号と暗証番号の各桁に対応する折畳時露出キーとを予め記憶部に登録する機能、筐体の閉状態において暗証番号の各桁対応に折畳時露出キーが押下される度に、押下された折畳時露出キーが該当桁対応に前記記憶部に登録された折畳時露出キーと一致するかを照合する機能、一致した場合に折畳時露出キーの押下回数を検出し前記記憶部に登録された暗証番号の該当桁の数字と一致するかを照合する機能、折畳時露出キーから入力された暗証番号の全桁の数字が認証された場合にロックを解除する機能、をコンピュータに実現させるためのプログラム。
【請求項１２】
筐体の開閉状態を検出する機能、ロック解除のための筐体の開閉状態変化情報を予め記憶部に登録する機能、ロック解除操作時に検出された開閉状態の変化が前記記憶部に登録された開閉状態変化情報と一致するかを照合する機能、一致した場合にロックを解除する機能、をコンピュータに実現させるためのプログラム。
【発明の詳細な説明】
【技術分野】
【０００１】
本発明は、第三者への暗証番号漏洩を防止する携帯端末，携帯端末における暗証番号入力方法およびプログラムに関する。
【背景技術】
【０００２】
携帯電話機等の携帯端末には、電話帳，スケジュール等の個人情報に加え電子財布機能等も含まれるようになっているため、他人に利用されないようにロックをかけるセキュリティー対策が一般的に行われている。そして、ロックやロックの解除に関する関連技術は、例えば、特開２００６−２２９７３０号公報（特許文献１）に開示されている。この特許文献１においては、
・携帯電話端末の側面部に設けられた複数のサイドキーの入力順をロック解除用の認証キー入力順として登録しておき、
・ロック解除時にユーザが特定キーを押下することによりロック解除モードとし、
・ロック解除モードにおいて、ユーザにより押下されたサイドキーの入力順が登録されたものと一致するかを照合し、
・一致した場合に、電子財布機能のロックを一時的に解除する、
ことが記載されている。
【０００３】
【特許文献１】特開２００６−２２９７３０号公報（段落「００２６」，「００３６」、図２）
【発明の開示】
【発明が解決しようとする課題】
【０００４】
上述した特許文献１においては、サイドキーの入力順（例えば、サイドキー１→サイドキー３→サイドキー２→サイドキー１）が正しければロックを解除するようにしているため、数字キーで暗証番号を入力するのに比べるとロック解除情報漏洩の危険性は少ない。しかし、他人にサイドキーの入力順を見られることによる漏洩の可能性はまだ高いという問題がある。
【０００５】
また、携帯端末筐体の開閉状態の組合せによりロックの解除ができるとセキュリティー向上の一助となるが、以上の方策については特許文献１では言及されていない。
【０００６】
本発明の目的は、以上の課題のいずれかを解決する携帯端末，携帯端末における暗証番号入力方法およびプログラムを提供することにある。
【課題を解決するための手段】
【０００７】
本発明の第１の携帯端末は、暗証番号と暗証番号の各桁に対応するキーとが予め登録された記憶部と、暗証番号の各桁対応にキーが押下される度に、押下されたキーが該当桁対応に前記記憶部に登録されたキーと一致するかを照合する手段と、一致した場合にキーの押下回数を検出し前記記憶部に登録された暗証番号の該当桁の数字と一致するかを照合する手段と、入力された暗証番号の全桁の数字が認証された場合にロックを解除する手段とを有する。
【０００８】
本発明の第２の携帯端末は、筐体の開閉状態を検出する開閉検出部と、筐体の閉状態において押下可能な折畳時露出キーと、暗証番号と暗証番号の各桁に対応する折畳時露出キーとが予め登録された記憶部と、閉状態において暗証番号の各桁対応に折畳時露出キーが押下される度に、押下された折畳時露出キーが該当桁対応に前記記憶部に登録された折畳時露出キーと一致するかを照合する手段と、一致した場合に折畳時露出キーの押下回数を検出し前記記憶部に登録された暗証番号の該当桁の数字と一致するかを照合する手段と、折畳時露出キーから入力された暗証番号の全桁の数字が認証された場合にロックを解除する手段とを有する。
【０００９】
本発明の第３の携帯端末は、本発明の第２の携帯端末において、暗証番号の全桁の数字が認証された場合、認証後設定時間内に筐体が開状態になった場合にロックを解除することを特徴とする。
【００１０】
本発明の第４の携帯端末は、本発明の第２または第３の携帯端末において、前記折畳時露出キーにより入力された暗証番号の認証後設定時間内に筐体が開状態になった場合を除き、筐体が開状態になった場合は、入力しても認証処理を行わないダミーの暗証番号入力画面を表示する手段を、さらに有する。
【００１１】
本発明の第５の携帯端末は、本発明の第１，第２，第３または第４の携帯端末において、バイブレータと、暗証番号の各桁の照合が終了する度に前記バイブレータを第１の時間振動させる手段と、暗証番号の全桁の照合が終了した場合に前記バイブレータを第２の時間振動させる手段とを、さらに有する。
【００１２】
本発明の第６の携帯端末は、筐体の開閉状態を検出する開閉検出部と、ロック解除のための筐体の開閉状態変化情報が予め登録された記憶部と、ロック解除操作時に前記開閉検出部により検出された開閉状態の変化が前記記憶部に登録された開閉状態変化情報と一致するかを照合する手段と、一致した場合にロックを解除する手段とを有する。
【００１３】
本発明の第１の携帯端末における暗証番号入力方法は、暗証番号と暗証番号の各桁に対応するキーとを予め記憶部に登録するステップと、暗証番号の各桁対応にキーが押下される度に、押下されたキーが該当桁対応に前記記憶部に登録されたキーと一致するかを照合するステップと、一致した場合にキーの押下回数を検出し前記記憶部に登録された暗証番号の該当桁の数字と一致するかを照合するステップと、入力された暗証番号の全桁の数字が認証された場合にロックを解除するステップとを有する。
【００１４】
本発明の第２の携帯端末における暗証番号入力方法は、暗証番号と暗証番号の各桁に対応する折畳時露出キーとを予め記憶部に登録するステップと、筐体の閉状態において暗証番号の各桁対応に折畳時露出キーが押下される度に、押下された折畳時露出キーが該当桁対応に前記記憶部に登録された折畳時露出キーと一致するかを照合するステップと、一致した場合に折畳時露出キーの押下回数を検出し前記記憶部に登録された暗証番号の該当桁の数字と一致するかを照合するステップと、暗証番号の各桁の照合が終了する度にバイブレータを第１の時間振動させるステップと、折畳時露出キーから入力された暗証番号の全桁の数字が認証された場合に前記バイブレータを第２の時間振動させるとともに所定時間のカウントを開始するステップと、所定時間内に筐体が開状態になった場合にロックを解除するステップとを有する。
【００１５】
本発明の第３の携帯端末における暗証番号入力方法は、ロック解除のための筐体の開閉状態変化情報を予め記憶部に登録するステップと、ロック解除操作時に筐体の開閉状態の変化を検出するステップと、検出された開閉状態の変化が前記記憶部に登録された開閉状態変化情報と一致するかを照合するステップと、一致した場合にロックを解除するステップとを有する。
【００１６】
本発明の第１のプログラムは、暗証番号と暗証番号の各桁に対応するキーとを予め記憶部に登録する機能、暗証番号の各桁対応にキーが押下される度に、押下されたキーが該当桁対応に前記記憶部に登録されたキーと一致するかを照合する機能、一致した場合にキーの押下回数を検出し前記記憶部に登録された暗証番号の該当桁の数字と一致するかを照合する機能、入力された暗証番号の全桁の数字が認証された場合にロックを解除する機能、をコンピュータに実現させる。
【００１７】
本発明の第２のプログラムは、筐体の開閉状態を検出する機能、暗証番号と暗証番号の各桁に対応する折畳時露出キーとを予め記憶部に登録する機能、筐体の閉状態において暗証番号の各桁対応に折畳時露出キーが押下される度に、押下された折畳時露出キーが該当桁対応に前記記憶部に登録された折畳時露出キーと一致するかを照合する機能、一致した場合に折畳時露出キーの押下回数を検出し前記記憶部に登録された暗証番号の該当桁の数字と一致するかを照合する機能、折畳時露出キーから入力された暗証番号の全桁の数字が認証された場合にロックを解除する機能、をコンピュータに実現させる。
【００１８】
本発明の第３のプログラムは、筐体の開閉状態を検出する機能、ロック解除のための筐体の開閉状態変化情報を予め記憶部に登録する機能、ロック解除操作時に検出された開閉状態の変化が前記記憶部に登録された開閉状態変化情報と一致するかを照合する機能、一致した場合にロックを解除する機能、をコンピュータに実現させる。
【発明の効果】
【００１９】
本発明においては、暗証番号の各桁に対応するキーを登録しておき、登録されたキーの押下回数によって各桁の入力数字を認識して暗証番号の認証を行うことにより、ロックの解除を行っている。換言すると、押下するキーの種類，押下順序と各キーの押下回数との組合せによる認証を行っているため、他人に暗証番号入力場面を見られたとしても暗証番号漏洩の可能性は殆どなく、セキュリティーの高い認証ができるという効果が得られる。
【００２０】
また、本発明においては、携帯端末筐体の開閉状態の組合せによりロックの解除を行うようにしているため、他人に分かり難く、かつ、キー等を使用せず筐体の開閉操作だけの簡易な方法でロックの解除が行えるという効果が得られる。
【発明を実施するための最良の形態】
【００２１】
本発明の実施例について図面を参照して詳細に説明する。
【００２２】
図１は、本発明の第１の実施例の構成を示す図である。図１を参照すると、本発明の折畳型携帯端末１０は、折畳時露出キー１１と、表示部１２と、開閉検出部１３と、タイマ１４と、バイブレータ１５と、記憶部１６と、制御部１７とを備えている。折畳型携帯端末１０は、携帯電話機，ＰＨＳ(Personal Handyphone System)，ＰＤＡ(Personal Digital Assistance)等の携帯情報端末であり、図２（折畳型携帯端末１０の折畳時の外観を示
す図）に示すように、上部筐体，下部筐体が折り畳み可能になっている。折畳時露出キー１１は、折畳型携帯端末１０を折り畳んだ状態で外部に露出しているキーであり、例えば、図２に示すように、側面部や上面部等に設けられたキーである。この折畳時露出キー１１は１個でもよいし複数個あってもよい。表示部１２はＬＣＤ(Liquid Crystal Display)等の表示装置である。開閉検出部１３は、折畳型携帯端末１０の上部筐体，下部筐体の開閉状態を検出する機能を備えている。この開閉検出部１３の例としては、特開２００１−２１７９２４号公報に凸部とスイッチを用いたものが、特開２００２−１２５０２５号公報に磁石と磁気センサを用いたものが、特開２００１−２２４７２号公報に発光部，受光部を用いたものが開示されている。本発明は開閉検出手段には限定されず、また、検出方法の詳細を説明するのが主旨でもないため、これ以上の説明は省略する。タイマ１４は制御部１７の指示により所定時間の経過監視を行い、バイブレータ１５は暗証番号の各桁の数字情報入力時や認証成功時に、制御部１７の指示により振動する。
【００２３】
記憶部１６は読み出し，書き込み可能な記憶装置であり、登録暗証番号，桁／折畳時露出キー対応データ，入力暗証番号，認証有効時間の記憶領域を含んでいる。登録暗証番号はユーザにより予め登録されるロック解除用暗証番号である。桁／折畳時露出キー対応データは、暗証番号の各桁対応に入力する折畳時露出キー１１をユーザが予め指定，登録するものである。入力暗証番号は、ユーザからの暗証番号入力時に各桁の数字が入力される度に一時的に登録され、登録暗証番号と照合される。認証有効時間は、認証終了をバイブレータ１５の振動で知らされたユーザがその時間内に折畳型携帯端末１０の筐体を開けばロック解除となる時間であり、予めユーザによって登録される。
【００２４】
制御部１７は、ＣＰＵ(Central Processing Unit)等の制御装置であり、プログラムにより動作を制御される。この制御部１７は、
・折畳時露出キー１１の押下検出時に、折畳型携帯端末１０の開閉状態を取得し、閉状態の場合に認証モードに移行する機能、
・押下された折畳時露出キー１１が桁毎に登録された折畳時露出キー１１と一致するかを照合する機能、
・一致した場合に、折畳時露出キー１１の押下回数を検出し、登録暗証番号の各桁の数字と一致するかを照合する機能、
・押下回数が各桁の数字と一致した場合にバイブレータ１５を所定時間（例えば、１秒間）振動させる機能、
・全桁の認証終了時にバイブレータ１５を一定時間（＞所定時間、例えば、３秒間）振動させる機能、
・全桁の認証終了から認証有効時間内（例えば、１分以内）に折畳型携帯端末１０が開かれた場合にロックを解除する機能、
を備えている。
【００２５】
次に、本発明の第１の実施例の動作について図面を参照して詳細に説明する。
【００２６】
最初に、暗証番号および暗証番号入力キーの登録時の動作について図１および図３を参照して説明する。図３は、本発明の第１の実施例における暗証番号および暗証番号入力キーの登録時の動作を示すフローチャートである。
【００２７】
図３を参照すると、折畳型携帯端末１０の暗証番号登録メニュー画面において、ユーザは図示しない数字キーから暗証番号（例えば、１２３４）を入力する（ステップＡ１，Ａ２）。折畳型携帯端末１０の制御部１７は、入力された暗証番号を登録暗証番号として記憶部１６に登録する（ステップＡ３）。次に、ユーザは暗証番号の各桁対応に使用する折畳時露出キー１１を画面上で選択する。この折畳時露出キー１１は、筐体が開かれた状態では特定機能対応キーとして用いられ、筐体が閉じられた状態では暗証番号入力キーとして用いられる。ここでは、４桁の暗証番号の１桁目〜４桁目の全桁に対して一つの折畳時露出キー１１（例えば、機能Ａ用キー）をユーザが選択したものとする（ステップＡ４）。制御部１７は、ユーザにより暗証番号の各桁対応に選択された折畳時露出キー１１を記憶部１６に登録する。すなわち、制御部１７は１桁目〜４桁目の全桁に対して機能Ａ用キーの折畳時露出キー１１を対応付け、桁／折畳時露出キー対応データとして記憶部１６に登録する（ステップＡ５）。
【００２８】
次に、暗証番号を用いたロック解除時の動作について図１および図４を参照して説明する。図４は、本発明の第１の実施例における暗証番号を用いたロック解除時の動作を示すフローチャートである。
【００２９】
図４を参照すると、ロックを解除しようとするユーザは、図３のステップＡ５において暗証番号入力キーとして登録された折畳時露出キー１１（以降、機能Ａ用キーを指すものとして説明する）を１回押下する。ここで、１回押下するのは、暗証番号（１２３４）の１桁目の数字（１）を入力するためである（ステップＢ１）。制御部１７は折畳時露出キー１１の押下を識別すると、開閉検出部１３を参照して筐体の開閉状態を取得する（ステップＢ２）。開状態であった場合は、制御部１７は押下された折畳時露出キー１１に割り当てられた機能Ａの処理を行う（ステップＢ３）。閉状態であった場合は、制御部１７は押下された折畳時露出キー１１が記憶部１６の桁／折畳時露出キー対応データとして１桁目対応に登録されている折畳時露出キー１１と一致するかを照合する（ステップＢ４）。一致した場合は、制御部１７は折畳時露出キー１１が押下された回数（１回）から数字１（暗証番号の１桁目の数字である１）を認識し、認識した数字１を記憶部１６の入力暗証番号記憶領域に１桁目の数字として格納する（ステップＢ５）。そして、制御部１７は取得した１桁目の数字が記憶部１６に登録された登録暗証番号の１桁目の数字と一致するかを照合する（ステップＢ６）。
【００３０】
ステップＢ６における照合の結果、一致した場合は、制御部１７は暗証番号の全桁照合が終了したかを確認するが（ステップＢ７）、今回は１桁目であり終了していないためステップＢ８に進む。ステップＢ８においては、制御部１７はバイブレータ１５に対して所定時間（例えば、１秒間）振動するよう制御し、バイブレータ１５が所定時間振動することによりユーザは１桁目の数字が正しく入力できたことを判別する。続いて、ステップＢ１の動作に戻り、制御部１７は全桁の入力が完了するまでステップＢ１〜ステップＢ８の動作を繰り返す。このとき、暗証番号（１２３４）の２桁目の数字は２であり、３桁目は３、４桁目は４であるため、折畳時露出キー１１は２桁目入力時は２回、３桁目入力時は３回、４桁目入力時は４回押下されることになる。
【００３１】
なお、ステップＢ４において、押下された折畳時露出キー１１が登録された折畳時露出キー１１と一致しなかった場合や、ステップＢ６において、押下回数（暗証番号の各桁の数字）が登録された数字と一致しなかった場合は、バイブレータ１５は振動しない。暗証番号を入力してもバイブレータ１５が振動しないということは誤入力を意味するため、ユーザは再入力するために筐体を一度開くことになる。筐体が開かれたことは開閉検出部１３から制御部１７に送信され（ステップＢ９）、制御部１７は入力暗証番号としてそれまでに記憶部１６に格納されていたデータを消去する（ステップＢ１０）。この後、ユーザは筐体を閉じ、ステップＢ１に戻って暗証番号の入力を再度行うことになる。
【００３２】
ステップＢ７において、全桁の入力が終了した場合は、制御部１７はバイブレータ１５に対して一定時間（各桁入力終了時における所定時間の１秒間より長い、例えば、３秒間）振動するよう制御する。バイブレータ１５が一定時間（３秒間）振動することにより、ユーザは入力した暗証番号が認証されたことを判別する（ステップＢ７→ステップＢ１１）。この後、制御部１７は、記憶部１６に登録された認証有効時間（例えば、１分間）のカウントをタイマ１４に指示する（ステップＢ１２）。そして、タイマ１４からのタイムアップを受信する前に開閉検出部１３から筐体が開状態になったことを受信すると、制御部１７は折畳型携帯端末１０のロックを解除する（ステップＢ１３，Ｂ１４）。
【００３３】
次に、ダミーの暗証番号入力画面表示時の動作について図１および図５を参照して説明する。図５は、本発明の第１の実施例におけるダミーの暗証番号入力画面表示時の動作を示すフローチャートである。
【００３４】
図５を参照すると、折畳型携帯端末１０がロック状態にあるときに、制御部１７は筐体が開かれたことを開閉検出部１３から受信すると（ステップＣ１）、ロック解除認証後１分以内であるか（図４のステップＢ１３の状態）を確認する（ステップＣ２）。そうであれば、制御部１７はロックを解除し（ステップＣ３）、そうでなければ、制御部１７はダミーの暗証番号入力画面を表示部１２に表示する。なお、ダミーの暗証番号入力画面とは、ロック中である旨を表示するとともに暗証番号の入力を求める画面ではあるが、ここで暗証番号を入力しても制御部１７は何の処理も行わずロックは解除されない、所謂、他人を騙す為のダミー表示画面である（ステップＣ４）。
【００３５】
以上説明したように、本実施例においては、ロック解除時に折畳時露出キー１１を用いて暗証番号の入力を行うようにしている。従って、ユーザは折畳型携帯端末１０をポケットや鞄等に入れたままで暗証番号を入力できるため、他人に暗証番号入力場面を見られることがなく、暗証番号の漏洩を防止できるという効果が得られる。
【００３６】
また、背景技術で説明した特許文献１に記載の技術（複数のサイドキーの入力順を照合することによりロックを解除）に比べ、本実施例においては、折畳時露出キー１１の押下回数を暗証番号の各桁の数字として認識し、暗証番号を照合するようにしている。このため、他人から見える場所におけるロック解除時においても暗証番号漏洩に対するセキュリティーがさらに向上するという効果が得られる。
【００３７】
また、本実施例においては、折畳時露出キー１１の押下により暗証番号の各桁の数字を入力する度、および、全桁入力が終了し認証されたときにバイブレータ１５を振動させるようにしている。これにより、ユーザは１桁毎に入力完了の合図を受けながら操作を行うことができるため、操作性が向上するという効果が得られる。
【００３８】
また、本実施例においては、ロック中に折畳型携帯端末１０が開かれるとダミーの暗証番号入力画面を表示するようにしている。これにより、正規ユーザ以外の第三者は無意味な操作を強いられ、ロック解除操作を撹乱させることができるという効果が得られる。
【００３９】
次に、本発明の第２の実施例について説明する。
【００４０】
本実施例は、上述した第１の実施例における折畳型携帯端末１０を一体型携帯端末１０Ａに置き換えたものである。図６は本発明の第２の実施例の構成を示す図であり、図１（第１の実施例の構成図）に比べ、
・折畳時露出キー１１がサイドキー１１Ａに、記憶部１６が記憶部１６Ａに、桁／折畳時露出キー対応データが桁／サイドキー対応データに、それぞれ置き換わっており、
・開閉検出部１３，タイマ１４，認証有効時間が削除されている。
図７は一体型携帯端末１０Ａの外観を示す図であり、側面にサイドキー１１Ａが設けられている。
【００４１】
次に、本実施例の動作について図６および図８を参照して説明する。図８は、本発明の第２の実施例の動作を示すフローチャートである。
【００４２】
図８を参照すると、ロックを解除したいユーザは予め設定された図示しないロック解除開始キーを押下し、ロック解除開始キーの押下を検出した制御部１７は認証モード（ロック解除モード）になったことを図示しない記憶領域に登録する（ステップＤ１）。次に、ユーザは予め暗証番号入力キーとして登録されたサイドキー１１Ａを１桁目の暗証番号の数字の回数分だけ押下する。なお、どのサイドキー１１Ａを暗証番号入力キーとするかの登録は、上述した図３に示すフローチャートに基づいて行われているものとする（但し、図３における折畳時露出キー１１をサイドキー１１Ａに置き換える）（ステップＤ２）。サイドキー１１Ａが押下されたことを検出した制御部１７は認証モードになっているかを確認し（ステップＤ３）、認証モードになっていなかった場合はステップＤ４に、認証モードになっていた場合はステップＤ５に進む。なお、
・ステップＤ４〜ステップＤ９は、図４で説明したステップＢ３〜ステップＢ８と、
・ステップＤ１０は、図４で説明したステップＢ１１と、
同じであるため、説明を省略する。
次に、ステップＤ１０に続き、制御部１７は一体型携帯端末１０Ａのロックを解除する（ステップＤ１１）。
【００４３】
以上説明したように、本実施例においては、一体型携帯端末１０Ａにおいても本発明の暗証番号入力方法を適用できるという効果が得られる。
【００４４】
次に、本発明の第３の実施例について説明する。
【００４５】
上述した第１の実施例においては、折畳型携帯端末１０の折畳時露出キー１１を用いて暗証番号を入力し、入力された暗証番号を認証することによりロックを解除するとして説明した。本実施例は、折畳型携帯端末１０Ｂの開閉状態の変化（組合せ）によりロックを解除するようにしている。図９は本発明の第３の実施例の構成を示す図であり、図１（第１の実施例の構成図）に比べ、
・開閉検出部１３が開閉検出部１３Ａに、記憶部１６が記憶部１６Ｂに、登録暗証番号が登録開閉状態に、入力暗証番号が入力開閉状態に、それぞれ置き換わっており、
・折畳時露出キー１１，タイマ１４，桁／折畳時露出キー対応データ，認証有効時間が削除されている。
【００４６】
上述した第１の実施例における開閉検出部１３は折畳型携帯端末１０の筐体が開かれているか閉じられているかの二つの状態を検出していたのに比べ、本実施例の開閉検出部１３Ｂは、例えば、図１０に示すような状態を検出する機能を備えている。図１０（本発明の第３の実施例における開閉状態の変化を示す図）において、（Ａ）は閉状態、（Ｂ）は開状態、（Ｃ）は開状態において上部筐体を９０度回転させた状態、（Ｄ）は反転閉状態（上部筐体が反転した状態での閉状態）、を示している。これらの状態を開閉検出部１３Ｂが検出して制御部１７に通知する。開閉検出部１３Ｂがこれらの状態を識別するためには、例えば、（Ａ）または（Ｄ）の閉状態においては、上部筐体には左端部に磁気センサＬを、右端部には磁気センサＲを設け、下部筐体には上部筐体の左端部が閉状態において相対する場所に磁石を設ける。これにより、（Ａ）の閉状態では磁気センサＬだけが磁石を検知（所定値以上の磁気を検知）し、（Ｄ）の反転閉状態では磁気センサＲだけが磁石を検知することになり、どの磁気センサが検知したかにより（Ａ），（Ｄ）の状態の検出が可能である。また、（Ｂ）の状態については、磁気センサＬ，Ｒともに磁石を検知しないことにより識別する。（Ｃ）の上部筐体９０度回転状態については、（Ｃ）の状態における上部筐体底部の手前部に磁気センサＣを設けるとともに下部筐体の相対する場所に磁石を設け、磁気センサＣが磁石を検知した場合に（Ｃ）の状態であると識別する。
【００４７】
記憶部１６Ｂの登録開閉状態の記憶領域には、ロック解除のための開閉状態の変化（順序）が予め登録されている。この登録は、表示部１２に示された登録画面の指示に基づきユーザが実際に図１０の（Ａ）〜（Ｄ）の開閉状態の登録を行う。このとき、制御部１７は開閉状態に応じた各磁気センサのＯＮ（検知あり）、ＯＦＦ（検知なし）状態を、記憶部１６Ｂの登録開閉状態の記憶領域に登録する。記憶部１６Ｂの入力開閉状態の記憶領域には、ロック解除時にユーザが行った開閉状態の変化（順序）が操作の度に一時的に記憶される。
【００４８】
次に、本発明の第３の実施例の動作について図９〜図１１を参照して説明する。図１１は、本発明の第３の実施例の動作を示すフローチャートである。
【００４９】
図１１を参照すると、ロックを解除したいユーザは予め設定された図示しないロック解除開始キーを押下し、ロック解除開始キーの押下を検出した制御部１７は認証モード（ロック解除モード）になったこと認識する（ステップＥ１）。次に、ユーザは図１０に示すように、（Ａ）→（Ｂ）→（Ｃ）→（Ｄ）の順で折畳型携帯端末１０Ｂの開閉状態を変化させる。制御部１７はそれぞれの開閉状態に応じた図示しない磁気センサの検知状況を記憶部１６Ｂの入力開閉状態領域に格納する。このとき、制御部１７は開閉状態が変わる度にバイブレータ１５を所定時間振動させ、ユーザに次の開閉状態への操作を促す（ステップＥ２）。次に、制御部１７は記憶部１６Ｂに格納された入力開閉状態と予め登録された登録開閉状態が一致するかを照合し（ステップＥ３）、一致した場合に、折畳型携帯端末１０Ｂのロックを解除する（ステップＥ４）。
【００５０】
以上説明したように、本実施例においては、折畳型携帯端末１０Ｂの開閉状態を変化させ、登録された開閉状態の変化と照合して一致した場合にロック解除を行うようにしている。これにより、上述した第１または第２の実施例とは異なる方法でロックを解除できるという効果が得られる。
【００５１】
次に、本発明の応用例，変形例等について説明する。
【００５２】
・上述した第１の実施例においては、一つの折畳時露出キー１１から暗証番号を入力するとして説明したが、複数の折畳時露出キー１１を用いるようにしてもよい。この場合、暗証番号の桁対応に別の折畳時露出キー１１を使用できるため、さらなるセキュリティーの向上が可能になる。
【００５３】
・上述した第２の実施例においては、サイドキー１１Ａを暗証番号入力キーとして用いたが、サイドキー１１Ａ以外の数字キー等を暗証番号入力キーとして用いるようにしてもよい。
【００５４】
・上述した第３の実施例においては、図１０の（Ａ）〜（Ｄ）の開閉状態の組合せでロック解除を行うとして説明したが、これに限定されず、他の開閉状態の組合せを用いてもよい。
【００５５】
・折畳型携帯端末１０における第１の実施例と、折畳型携帯端末１０Ｂにおける第３の実施例を兼ね備えた折畳型携帯端末を備え、第１または第３の実施例のいずれを用いてロック解除を行うべきかを、ユーザが折畳型携帯端末に設定するようにしてもよい。この場合、折畳型携帯端末の制御部１７は設定された実施例情報に応じた制御を行う。
【図面の簡単な説明】
【００５６】
【図１】本発明の第１の実施例の構成を示す図である。
【図２】折畳型携帯端末１０の折畳時の外観を示す図である。
【図３】本発明の第１の実施例における暗証番号および暗証番号入力キーの登録時の動作を示すフローチャートである。
【図４】本発明の第１の実施例における暗証番号を用いたロック解除時の動作を示すフローチャートである。
【図５】本発明の第１の実施例におけるダミーの暗証番号入力画面表示時の動作を示すフローチャートである。
【図６】本発明の第２の実施例の構成を示す図である。
【図７】一体型携帯端末１０Ａの外観を示す図である。
【図８】本発明の第２の実施例の動作を示すフローチャートである。
【図９】本発明の第３の実施例の構成を示す図である。
【図１０】本発明の第３の実施例における開閉状態の変化を示す図である。
【図１１】本発明の第３の実施例の動作を示すフローチャートである。
【符号の説明】
【００５７】
１０，１０Ｂ    折畳型携帯端末
１０Ａ    一体型携帯端末
１１    折畳時露出キー
１１Ａ    サイドキー
１２    表示部
１３，１３Ｂ    開閉検出部
１４    タイマ
１５    バイブレータ
１６，１６Ａ，１６Ｂ    記憶部
１７    制御部
【図１】
2008283510.tif 000003
【図２】
2008283510.tif 000004
【図３】
2008283510.tif 000005
【図４】
2008283510.tif 000006
【図５】
2008283510.tif 000007
【図６】
2008283510.tif 000008
【図７】
2008283510.tif 000009
【図８】
2008283510.tif 000010
【図９】
2008283510.tif 000011
【図１０】
2008283510.tif 000012
【図１１】
2008283510.tif 000013